(57)【要約】【課題】  偏光ビームスプリッターの固定と光学特性とを改善すること。【解決手段】  一方の三角プリズム２Ａの縦端面２ｂ及び横端面２ｃに対向する縦基準面８ａ及び横基準面８ｂと一方の三角プリズム２Ａの両三角側面２ｄ，２ｅに対向する左右一対の三角基準面８ｃ，８ｄとを備えた縦断面三角状基準室８がピックアップ本体１に形成されると共に、前記基準室８に連通する連通室９がピックアップ本体１内に形成され、基準室８の両三角基準面８ｃ，８ｄと連通室９の内面９ｃ，９ｄとの間に左右一対の傾斜状段差面１１，１２が形成されており、一方の三角プリズム２Ａを基準室８内に挿入し、他方の三角プリズム２Ｂを連通室９内に挿入して、その両三角プリズム２Ａ，２Ｂの傾斜面２ａどうしを当接させ、他方の三角プリズム２Ｂの各三角側面２ｄ，２ｅとそれに隣接する各傾斜状段差面１１，１２との間に接着剤を塗布する。【選択図】        図６
2007179621.tif 000002
【特許請求の範囲】
【請求項１】
傾斜面と該傾斜面に対向する縦端面及び横端面と左右一対の三角側面とを備えた２つの
三角プリズムの前記傾斜面どうしを接着剤で接続することにより形成した偏光ビームスプ
リッターがピックアップ本体内に配置されており、該偏光ビームスプリッターを介してデ
ィスクにレーザ光を投射し、その反射光を偏光ビームスプリッターを介して受光すること
により、ディスクに記録されている情報を読み取るようにした光ピックアップにおいて、
前記両三角プリズムの傾斜面どうしを接続する接着剤を無くし、前記一方の三角プリズム
の縦端面及び横端面に対向する縦基準面及び横基準面と両三角側面に対向する左右一対の
三角基準面とを備えた縦断面三角状基準室が前記ピックアップ本体に形成されると共に、
前記基準室に連通する連通室が前記ピックアップ本体内に形成され、前記基準室の両三角
基準面と連通室の内面との間に左右一対の段差面が形成され、前記連通室の内面に、両三
角プリズムを基準室に向けて案内するための複数の案内レールが所定間隔をおいて一体突
設されており、その複数の案内レールに沿って一方の三角プリズムを基準室内に挿入する
と共に、他方の三角プリズムを連通室内に挿入して、その両三角プリズムの傾斜面どうし
を当接させ、他方の三角プリズムの各三角側面とそれに隣接する各段差面との間に接着剤
を塗布することを特徴とする光ピックアップ。
【請求項２】
傾斜面と該傾斜面に対向する縦端面及び横端面と左右一対の三角側面とを備えた２つの
三角プリズムの前記傾斜面どうしを対向させることにより形成した偏光ビームスプリッタ
ーがピックアップ本体内に配置されており、該偏光ビームスプリッターを介してディスク
にレーザ光を投射し、その反射光を偏光ビームスプリッターを介して受光することにより
、ディスクに記録されている情報を読み取るようにした光ピックアップにおいて、前記一
方の三角プリズムの縦端面及び横端面に対向する縦基準面及び横基準面と両三角側面に対
向する左右一対の三角基準面とを備えた縦断面三角状基準室が前記ピックアップ本体に形
成されると共に、前記基準室に連通する連通室が前記ピックアップ本体内に形成され、前
記基準室の両三角基準面と連通室の内面との間に左右一対の段差面が形成されており、一
方の三角プリズムを基準室内に挿入し、他方の三角プリズムを連通室内に挿入して、その
両三角プリズムの傾斜面どうしを当接させ、他方の三角プリズムの各三角側面とそれに隣
接する各段差面との間に接着剤を塗布することを特徴とする光ピックアップ。
【請求項３】
前記連通室の内面に、前記両三角プリズムを基準室に向けて送り込むための複数の案内
レールが所定間隔をおいて一体突設されていることを特徴とする請求項２に記載の光ピッ
クアップ。
【発明の詳細な説明】
【技術分野】
【０００１】
本発明は、ディスク装置（ＤＶＤプレーヤ、ＤＶＤレコーダなど）に使用される光ピッ
クアップに関し、特に、偏光ビームスプリッターの固定と光学特性とを改善するものであ
る。
【背景技術】
【０００２】
光ピックアップの一例として図８に示すものがある。これは、合成樹脂製ピックアップ
本体１内に偏光ビームスプリッターＰＢＳを配置し、該偏光ビームスプリッターＰＢＳを
間に挟んでピックアップ本体１の両端に対物レンズＯＬ及びコリメートレンズＱＷＰとフ
ォトダイオードＰＤとが配置され、ピックアップ本体１の側面に半導体レーザＬＤが配置
されたものであって、半導体レーザＬＤからレーザ光を偏光ビームスプリッターＰＢＳや
コリメートレンズＱＷＰ及び対物レンズＯＬを介して光ディスクＤに投射し、その反射光
を偏光ビームスプリッターＰＢＳを介してフォトダイオードＰＤで受光することにより、
光ディスクＤに記録されている情報を読み取る。
【０００３】
従来、前記偏光ビームスプリッターＰＢＳは、図９に示すように、傾斜面２ａと該傾斜
面２ａに対向する縦端面２ｂ及び横端面２ｃと左右一対の三角側面２ｄ，２ｅとを備えた
２つの三角プリズム２Ａ，２Ｂの前記傾斜面２ａどうしを光学用接着剤３で接着すること
により形成されている。
【０００４】
上記構成によれば、三角プリズム２Ａ，２Ｂと光学用接着剤３との光の屈折率が異なる
ため、半導体レーザＬＤからの投射光や反射光の光学特性（ＡＳ収差）が悪化するという
難点がある。
【０００５】
上記難点を解消する技術として特許文献１に記載したものがある。これは、図３（ａ）
に示すように、各三角プリズム２Ａ，２Ｂの傾斜面２ａをアルカリ溶液で洗浄し、次に、
超純水Ｗによる洗浄でアルカリ溶液を除去した後、図３（ｂ）に示すように、傾斜面２ａ
に超純水を塗布し、その傾斜面２ａどうしを当接させて両三角プリズム２Ａ，２Ｂを合わ
せる。続いて、両三角プリズム２Ａ，２Ｂを加熱処理（５０°Ｃ〜５００°Ｃ）して傾斜
面２ａの超純水を蒸発させ、図３（ｃ）に示すように、両三角プリズム２Ａ，２Ｂの両端
部間に形成した角面取り形状部分５に紫外線硬化性接着剤６を塗布し、紫外線を照射して
接着剤６を硬化させることにより、両三角プリズム２Ａ，２Ｂを接続して偏光ビームスプ
リッターＰＢＳを形成する。
【特許文献１】特開平８−２７８４０７号公報
【発明の開示】
【発明が解決しようとする課題】
【０００６】
上記従来の構成では、図１１に示すように、接着剤６の硬化による収縮で引張力Ｆ１〜
Ｆ４が両三角プリズム２Ａ，２Ｂの両端部に向かって発生し、その各引張力Ｆ１〜Ｆ４に
より両三角プリズム２Ａ，２Ｂの傾斜面２ａどうしを密着させるようになっているが、各
引張力Ｆ１〜Ｆ４の作用する方向が分散して異なると共に、接着剤６の塗布量の不均一に
起因して各引張力Ｆ１〜Ｆ４の大きさも異なることがあるため、傾斜面２ａに沿って分力
ｆが発生し、その分力ｆにより傾斜面２ａを境にして両三角プリズム２Ａ，２Ｂが互いに
逆向きに横滑りするおそれがあり、その横滑りが生じると、傾斜面２ａどうしの分子間力
が小さくなって、その傾斜面２ａ間に隙間が生じて空気層が形成されることがあり、その
空気層と三角プリズム２Ａ，２Ｂとでは光の屈折率が異なるため、半導体レーザＬＤから
の投射光や反射光の光学特性（ＡＳ収差）が悪化することになる。
【０００７】
また、前記偏光ビームスプリッターＰＢＳをピックアップ本体１に固定する手段が別個
に必要であるから、その固定構造が複雑になり、製作費が高くつく。
【０００８】
本発明は、上記従来の欠点に鑑み、偏光ビームスプリッターの固定と光学特性とを改善
するようにした光ピックアップを提供することを目的としている。
【課題を解決するための手段】
【０００９】
上記目的を達成するため、請求項１に記載の発明は、傾斜面と該傾斜面に対向する縦端
面及び横端面と左右一対の三角側面とを備えた２つの三角プリズムの前記傾斜面どうしを
接着剤で接続することにより形成した偏光ビームスプリッターがピックアップ本体内に配
置されており、該偏光ビームスプリッターを介してディスクにレーザ光を投射し、その反
射光を偏光ビームスプリッターを介して受光することにより、ディスクに記録されている
情報を読み取るようにした光ピックアップにおいて、前記両三角プリズムの傾斜面どうし
を接続する接着剤を無くし、前記一方の三角プリズムの縦端面及び横端面に対向する縦基
準面及び横基準面と両三角側面に対向する左右一対の三角基準面とを備えた縦断面三角状
基準室が前記ピックアップ本体に形成されると共に、前記基準室に連通する連通室が前記
ピックアップ本体内に形成され、前記基準室の両三角基準面と連通室の内面との間に左右
一対の段差面が形成され、前記連通室の内面に、両三角プリズムを基準室に向けて案内す
るための複数の案内レールが所定間隔をおいて一体突設されており、その複数の案内レー
ルに沿って一方の三角プリズムを基準室内に挿入すると共に、他方の三角プリズムを連通
室内に挿入して、その両三角プリズムの傾斜面どうしを当接させ、他方の三角プリズムの
各三角側面とそれに隣接する各段差面との間に接着剤を塗布することを特徴としている。
【００１０】
請求項２に記載の発明は、傾斜面と該傾斜面に対向する縦端面及び横端面と左右一対の
三角側面とを備えた２つの三角プリズムの前記傾斜面どうしを対向させることにより形成
した偏光ビームスプリッターがピックアップ本体内に配置されており、該偏光ビームスプ
リッターを介してディスクにレーザ光を投射し、その反射光を偏光ビームスプリッターを
介して受光することにより、ディスクに記録されている情報を読み取るようにした光ピッ
クアップにおいて、前記一方の三角プリズムの縦端面及び横端面に対向する縦基準面及び
横基準面と両三角側面に対向する左右一対の三角基準面とを備えた縦断面三角状基準室が
前記ピックアップ本体に形成されると共に、前記基準室に連通する連通室が前記ピックア
ップ本体内に形成され、前記基準室の両三角基準面と連通室の内面との間に左右一対の段
差面が形成されており、一方の三角プリズムを基準室内に挿入し、他方の三角プリズムを
連通室内に挿入して、その両三角プリズムの傾斜面どうしを当接させ、他方の三角プリズ
ムの各三角側面とそれに隣接する各段差面との間に接着剤を塗布することを特徴としてい
る。
【００１１】
請求項３に記載の発明は、請求項２に記載の発明において、前記連通室の内面に、前記
両三角プリズムを基準室に向けて送り込むための複数の案内レールが所定間隔をおいて一
体突設されていることを特徴としている。
【発明の効果】
【００１２】
請求項１に記載の発明は実施の一形態（図１〜図７参照）に対応するものであって、こ
れによれば、基準室内に挿入した一方の三角プリズムと連通室に挿入した他方の三角プリ
ズムとの傾斜面どうしを当接させ、その他方の三角プリズムの各三角側面とそれに隣接す
る各段差面との間に接着剤を塗布し、その接着剤の硬化による収縮で発生する引張力によ
り両三角プリズムどうしを接続するようになっており、その引張力が他方の三角プリズム
を介して一方の三角プリズムに向けて集中してかかるから、該両三角プリズムの傾斜面ど
うしの分子間力が強く働いて、その傾斜面どうしが強固に密着され、その両三角プリズム
を確実に一体化させることができ、これによって、両三角プリズムからなる偏光ビームス
プリッターを通る投射光や反射光の光学特性（ＡＳ）を改善することができる。
【００１３】
また、接着剤により他方の三角プリズムをピックアップ本体に固定するだけで、一方の
三角プリズムもピックアップ本体に固定されるようになっており、その両三角プリズムど
うしの接続とピックアップ本体への固定という２つの作業を１回の接着剤の塗布作業で同
時に行うことができ、作業能率が高く、製作費も安くすることができる。
【００１４】
更に、連通室内の内面に一体突設した各案内レールに沿って他方の三角プリズムを基準
室内の一方の三角プリズムまで円滑に送り込んで、その両三角プリズムの傾斜面どうしを
精密に対向させることができる。
【００１５】
請求項２に記載の発明は基本形態に対応するものであって、これによれば、基準室内に
挿入した一方の三角プリズムと連通室に挿入した他方の三角プリズムとの傾斜面どうしを
当接させ、その他方の三角プリズムの各三角側面とそれに隣接する各段差面との間に接着
剤を塗布し、その接着剤の硬化による収縮で発生する引張力により両三角プリズムどうし
を接続するようになっており、その引張力が他方の三角プリズムを介して一方の三角プリ
ズムに向けて集中してかかるから、該両三角プリズムの傾斜面どうしの分子間力が強く働
いて、その傾斜面どうしが強固に密着され、その両三角プリズムを確実に一体化させるこ
とができ、これによって、両三角プリズムからなる偏光ビームスプリッターを通る投射光
や反射光の光学特性（ＡＳ）を改善することができる。
【００１６】
また、接着剤により他方の三角プリズムをピックアップ本体に固定するだけで、一方の
三角プリズムもピックアップ本体に固定されるようになっており、その両三角プリズムど
うしの接続とピックアップ本体への固定という２つの作業を１回の接着剤の塗布作業で同
時に行うことができ、作業能率が高く、製作費も安くすることができる。
【００１７】
請求項３に記載の発明によれば、連通室内の内面に一体突設した各案内レールに沿って
他方の三角プリズムを基準室内の一方の三角プリズムまで円滑に送り込んで、その両三角
プリズムの傾斜面どうしを精密に対向させることができる。
【発明を実施するための最良の形態】
【００１８】
図１〜図５は本発明の実施の一形態である光ピックアップの要部を示すものであって、
一方の三角プリズム２Ａを収納するための基準室８と他方の三角プリズム２Ｂを収納する
ための連通室９とが互いに連通された状態でピックアップ本体１内に形成されている。上
記以外の構成で図８〜図１１に示す構成と同一部分に同一符号を付してその説明を省略す
る。
【００１９】
前記基準室８は、図４及び図５に示すように、一方の三角プリズム２Ａの縦端面２ｂ及
び横端面２ｃに対向する縦基準面８ａ及び横基準面８ｂと、両三角側面２ｄ，２ｅに対向
する左右一対の三角基準面８ｃ，８ｄとを備えており、その幅ａ１、長さｂ１及び高さｃ
１が一方の三角プリズム２Ａ（及び他方の三角プリズム２Ｂ）の幅ａ、長さｂ及び高さｃ
と同一またはわずかに大きく設定されて、縦断面三角状に形成されている（図１参照）。
なお、１０は光通過孔である。
【００２０】
前記連通室９は、図１〜図４に示すように、基準室８を取り囲む４つの内面９ａ〜９ｄ
を備えて、該基準室８と同心状の矩形状開口部９Ａを有し、その開口部９Ａの幅ａ２及び
長さｂ２を基準室８の幅ａ１及び長さｂ１よりも一回り大きく設定することにより、その
連通室９の左右両内面９ｃ，９ｄと基準室８の両三角基準面８ｃ，８ｄとの間に、その両
三角基準面８ｃ，８ｄに沿って傾斜状段差面１１，１２が形成されると共に、その連通室
９の前後両内面９ａ，９ｂと基準室８の縦基準面８ａ及び横基準面８ｂとの間に、その両
基準面８ａ，８ｂに沿って平坦状段差面１３，１４が形成されている。
【００２１】
図１〜図４に示すように、連通室９の内面９ａ〜９ｄに、両三角プリズム２Ａ，２Ｂを
基準室８に向けて送り込むための複数の案内レール１５が開口部９Ａから各段差面１１〜
１４まで所定間隔をおいて一体突設され、その各案内レール１５のプリズム対向面１５ａ
が基準室８の各基準面８ａ〜８ｄの外周縁と面一状に形成されており、各案内レール１５
に沿って両三角プリズム２Ａ，２Ｂを基準室８に向けて円滑に送り込み、その両三角プリ
ズム２Ａ，２Ｂの傾斜面２ａどうしを精密に対向させることができる（図１参照）。
【００２２】
偏光ビームスプリッターＰＢＳの固定手順を説明すると、図６（ａ）に示すように、ピ
ックアップ本体１を傾けることにより、傾斜状段差面１１，１２がほぼ水平になるように
位置決めした状態で、一方の三角プリズム２Ａを連通室９を通って基準室８内に挿入し、
他方の三角プリズム２Ｂを連通室９内に挿通して案内レール１５に沿って送り込むことに
より、その両三角プリズム２Ａ，２Ｂの傾斜面２ａどうしを当接させ、図６（ｂ）に示す
ように、接着剤注入器１６により他方の三角プリズム２Ｂの各三角側面２ｄ，２ｅとそれ
に隣接する各傾斜状段差面１１，１２との間に紫外線硬化性接着剤６を塗布し、紫外線を
照射して接着剤６を硬化させる。
【００２３】
上記構成によれば、図７に示すように、接着剤６の硬化による収縮で発生する引張力Ｆ
が他方の三角プリズム２Ｂを介して一方の三角プリズム２Ａに向けて集中してかかるから
、該両三角プリズム２Ａ，２Ｂの傾斜面２ａどうしの分子間力が強く働いて、その傾斜面
２ａどうしが強固に密着され、その両三角プリズム２Ａ，２Ｂを確実に一体化させること
ができ、これによって、両三角プリズム２Ａ，２Ｂからなる偏光ビームスプリッターＰＢ
Ｓを通る投射光や反射光の光学特性（ＡＳ）を改善することができる。
【００２４】
また、接着剤６により他方の三角プリズム２Ｂをピックアップ本体１に固定するだけで
、一方の三角プリズム２Ａもピックアップ本体１に固定されるようになっており、その両
三角プリズム２Ａ，２Ｂどうしの接続とピックアップ本体１への固定という２つの作業を
１回の接着剤６の塗布作業で同時に行うことができ、作業能率が高く、製作費も安くする
ことができる。
【図面の簡単な説明】
【００２５】
【図１】本発明の実施の一形態である光ピックアップの要部の縦断面図である。
【図２】図１のＡ−Ａ矢視図である。
【図３】図２のＢ−Ｂ矢視図である。
【図４】同要部の分解斜視図である。
【図５】図４のＣ−Ｃ矢視図である。
【図６】（ａ）は偏光ビームスプリッターの固定手順の前段を示す縦断面図、（ｂ）は同手順の後段を示す縦断面図である。
【図７】同偏光ビームスプリッターの固定状態を示す概略説明図である。
【図８】光ピックアップの概略縦断面図である。
【図９】同従来の一例を示す側面図である。
【図１０】（ａ）〜（ｃ）は従来の他の例を示す斜視図である。
【図１１】同偏光ビームスプリッターにかかる引張力の作用を示す概略説明図である。
【符号の説明】
【００２６】
１          ピックアップ本体
２Ａ        一方の三角プリズム
２Ｂ        他方の三角プリズム
２ａ        傾斜面
２ｂ        縦端面
２ｃ        横端面
２ｄ，２ｅ  三角側面
６          接着剤
８          基準室
８ａ        縦基準面
８ｂ        横基準面
８ｃ，８ｄ  三角基準面
９          連通室
９ａ〜９ｄ  連通室の内面
１１，１２  傾斜状段差面
１５        案内レール
ＰＢＳ      偏光ビームスプリッター
【図１】
2007179621.tif 000003
【図２】
2007179621.tif 000004
【図３】
2007179621.tif 000005
【図４】
2007179621.tif 000006
【図５】
2007179621.tif 000007
【図６】
2007179621.tif 000008
【図７】
2007179621.tif 000009
【図８】
2007179621.tif 000010
【図９】
2007179621.tif 000011
【図１０】
2007179621.tif 000012
【図１１】
2007179621.tif 000013